(57)【特許請求の範囲】
【請求項１】
観客席を有する建築構造物の施工方法であって、
該建築構造物は、柱と水平梁を備えた柱梁架構と、水平面に対し斜め方向に延在して設けられ、前記柱梁架構により支持された斜梁を備え、
前記観客席は前記斜梁上に設けられた構成とされ、
この構成において、前記柱が、該柱に接合される最上段の前記水平梁から上方に突出する柱仕口部を備えるように、前記柱梁架構を構築すること、
鉄骨鉄筋コンクリートのプレキャスト材として製作された複数の斜梁部材を長さ方向に接合して前記斜梁を製作し、この際に、該斜梁を前記柱梁架構上に位置づけた際に前記斜梁から前記柱の延在する方向に、前記最上段の水平梁に向けて突出する柱接続部材を接合すること、
当該柱接続部材を前記柱仕口部に接合して、前記斜梁を、前記柱梁架構上に接合すること、
を含む、観客席を有する建築構造物の施工方法。
【請求項２】
前記水平梁は、該水平梁に接合される前記柱から、前記斜梁の接合される水平方向に突出する梁仕口部を備え、
前記斜梁を製作する際に、前記斜梁の接合時に前記水平梁の延在する方向に突出する梁接続部材を接合すること、
前記斜梁を接合する際に、前記梁接続部材を、前記梁仕口部に接合すること、
を含む、請求項１に記載の建築構造物の施工方法。
【請求項３】
柱と水平梁を備えた柱梁架構と、
水平面に対し斜め方向に延在して設けられ、前記柱梁架構により支持された斜梁と、
該斜梁上に設けられた観客席と、
を備え、
前記柱は、該柱に接合される最上段の前記水平梁から上方に突出する柱仕口部を備え、
前記斜梁は鉄骨鉄筋コンクリートのプレキャスト材として製作された複数の斜梁部材を長さ方向に接合することにより製作され、
前記斜梁は、該斜梁を前記柱梁架構上に位置づけた際に前記斜梁から前記柱の延在する方向に、前記最上段の水平梁に向けて突出する柱接続部材を備え、該柱接続部材を前記柱仕口部に接合することで、前記斜梁が前記柱梁架構に接合されている、観客席を有する建築構造物。
【発明の詳細な説明】
【技術分野】
【０００１】
本発明は、観客席を有する建築構造物及びその施工方法に関するものである。
【背景技術】
【０００２】
スタジアムやホール等の、観客席を有する建築構造物においては、観客席は、最後方上段からグラウンドやステージ等に向けて、下方に傾斜するように設けられた、斜梁上に設置されることが多い。
【０００３】
このような建築構造物の例を、図７に示す。図７は、特許文献１に開示された、すり鉢状構造物を説明するものである。すり鉢状構造物１００の内周面に沿って複数の斜梁１０１が放射状に設けられている。少なくとも隣接する斜梁１０１同士の間で一体形成されるスタンドスラブ１０２がこの斜梁１０１に接合されている。斜梁１０１は柱１０３で担持され、斜梁１０１とこの柱１０３との接合点Ｐに水平梁１０４の端部が接合され、スタンドスラブ１０２、斜梁１０１、柱１０３、水平梁１０４が一体に構成されている。観客スタンド１０５は、傾斜方向に階段状に設けられた個々のスタンド１０６によって構成されている。
【０００４】
上記のような建築構造物において、柱や梁などの主要構造部材を鉄骨で構成した場合には、斜梁として、柱や梁と同様に鉄骨が用いられることが多い。特許文献２には、スタジアムなどの観客席を構築する場合において、斜梁として鉄骨を使用することが開示されている。
【０００５】
しかし、鉄骨は剛性が高くないため、スポーツ等のイベントにおいて興奮した観客が騒ぎ、飛び跳ねたりした場合に、斜梁が大きく振動することがある。これにより、建築構造物を構成する部材が破損する、観客が振動を感じることで不安を覚える、建築構造物内に設置した電子機器等の各設備が、振動により破損し、または誤動作を起こす、等の問題が発生する可能性がある。
【０００６】
したがって、特に建築構造物の振動を防ぐことが求められる場合においては、斜梁として、鉄骨ではなく、鉄骨鉄筋コンクリート（以下、ＳＲＣと呼称する）を使用する場合がある。この場合には、斜梁は、地組ヤードにおいて鉄骨に鉄筋を配筋し、基礎上に立設された柱の上に鉄筋が配筋された鉄骨を設置した後、鉄骨・鉄筋の周囲に型枠を設置し、コンクリートを打設することにより設けられている。
【先行技術文献】
【特許文献】
【０００７】
【特許文献１】特開平８−２８４４６４号公報
【特許文献２】特開２００１−１６４６８６号公報
【発明の概要】
【発明が解決しようとする課題】
【０００８】
ＳＲＣ製の斜梁を上記のような手法で製作する場合においては、型枠の設置、コンクリートの打設、及び脱型等の一連の作業を高所で行う必要があるため、施工が容易ではない。
斜めに設置された鉄骨・鉄筋の周囲へのコンクリートの打設は容易ではなく、コンクリートの品質の維持が困難であるという問題もある。
【０００９】
本発明が解決しようとする課題は、施工が容易な、観客席を有する建築構造物及びその施工方法を提供することである。
【課題を解決するための手段】
【００１０】
本発明は、上記課題を解決するため、以下の手段を採用する。すなわち、本発明による観客席を有する建築構造物の施工方法は、該建築構造物は、柱と水平梁を備えた柱梁架構と、水平面に対し斜め方向に延在して設けられ、前記柱梁架構により支持された斜梁を備え、前記観客席は前記斜梁上に設けられた構成とされ、この構成において、前記柱梁架構を構築すること、鉄骨鉄筋コンクリートのプレキャスト材として製作された複数の斜梁部材を長さ方向に接合して前記斜梁を製作すること、前記斜梁を、前記柱梁架構上に接合すること、を含む。
このような構成によれば、斜梁を、鉄骨鉄筋コンクリートのプレキャスト材として製作された複数の斜梁部材を長さ方向に接合して製作した後に、柱梁架構上に接合するため、従来においては斜梁の製作において必要であった高所における型枠の設置作業を低減することが可能となり、これに伴い、型枠を支持する支保工の設置個所も低減することが可能となる。したがって、施工が容易となる。
また、高所における施工が容易となり、また作業量が低減することで、作業員の安全性が高まる。
また、斜梁は、鉄骨鉄筋コンクリートのプレキャスト材として製作された複数の斜梁部材を長さ方向に接合して製作されているため、斜めに設置された鉄骨・鉄筋の周囲へのコンクリートの打設作業を少なくすることが可能であり、これによりコンクリートの品質を向上させることができる。
また、斜梁は、鉄骨鉄筋コンクリートのプレキャスト材として製作された複数の斜梁部材を長さ方向に接合して製作されているため、現場での複雑な配筋作業を低減することができる。したがって、施工が容易となるとともに、配筋精度を向上させることができる。
また、一本の斜梁を柱梁架構上に接合するに当たり、複数の部材を各々揚重して柱梁架構上で接合して斜梁を形成するのではなく、製作済みの斜梁を揚重して柱梁架構上に接合するため、部材の揚重回数が一回で済み、これにより工期を短縮することが可能となる。
【００１１】
本発明の一態様においては、前記柱は、該柱に接合される最上段の前記水平梁から上方に突出する柱仕口部を備え、前記水平梁は、該水平梁に接合される前記柱から、前記斜梁の接合される水平方向に突出する梁仕口部を備え、観客席を有する建築構造物の施工方法は、前記斜梁を製作する際に、前記斜梁の接合時に前記柱及び前記水平梁の延在する方向に突出する接続部材を接合すること、前記斜梁を接合する際に、前記接続部材を、前記柱仕口部及び前記梁仕口部に接合すること、を含む。
斜梁を、柱や水平梁に直接接合する場合においては、柱や水平梁と斜梁の成す角度が垂直ではないため取り合いが複雑となり、作業が容易ではない。しかし、上記のような構成によれば、斜梁は接続部材を備えており、接続部材を柱仕口部及び梁仕口部に接合することで、斜梁が柱梁架構に接合されている。接続部材は、斜梁の接合時に柱及び水平梁の延在する方向に突出しており、柱仕口部は上方に、梁仕口部は水平方向に、それぞれ突出しているため、接続部材と、柱仕口部及び梁仕口部の接合は、互いに向かい合うように位置する端面同士を接合することで行われる。したがって、施工を容易に行うことが可能となる。
また、柱仕口部と斜梁の接続部材の接合位置が、足場から例えば１ｍ程度の作業が容易となるような高さに位置するように、柱仕口部と斜梁の接続部材の各々の長さを任意に決定することが可能であり、このような場合においては、施工を更に容易に行うことが可能となる。
【００１２】
本発明の一態様においては、前記斜梁の製作は、前記斜梁部材間で、前記斜梁部材のコンクリート部の端部から突出した鉄骨及び主筋同士を接合すること、及び、前記鉄骨及び前記主筋の接合部にコンクリートを打設すること、を含む。
このような構成によれば、斜梁の製作は、斜梁部材間で、斜梁部材のコンクリート部の端部から突出した鉄骨及び主筋同士を接合し、鉄骨及び主筋の接合部にコンクリートを打設することを含み、これらの斜梁の製作作業は斜梁を柱梁架構上へ設置する前に行われるため、柱梁架構上への斜梁の接合後に、斜梁に対してコンクリートの打設を行うことが不要である。したがって、施工が容易となる。
【００１３】
本発明の一態様においては、前記斜梁の製作は、前記斜梁部材間で、前記斜梁部材のコンクリート部の端部から突出した鉄骨及び主筋同士を接合することを含み、前記斜梁の接合後に、前記鉄骨及び前記主筋の接合部にコンクリートを打設すること、を含む。
このような構成によれば、斜梁部材間の、鉄骨及び前記主筋の接合部へのコンクリートの打設は、斜梁の柱梁架構上への接合後であるため、斜梁の柱梁架構上への揚重時においては、斜梁の重量を低減することが可能となる。したがって、揚重性能の高くない揚重機を使用できる可能性が高まり、これにより施工費を低減することが可能となる。
また、斜梁部材間の、鉄骨及び主筋の接合部へのコンクリートの打設は、斜梁の柱梁架構上への接合後であるが、斜柱の大部分はプレキャスト材として形成されており、柱梁架構への接合時にはコンクリートが打設されているため、柱梁架構への接合後にコンクリートを打設すべき鉄骨及び主筋の接合部は、斜柱全体の内、非常に限定的な部分となっている。したがって、施工が容易である。
【００１４】
また、本発明による観客席を有する建築構造物は、柱と水平梁を備えた柱梁架構と、水平面に対し斜め方向に延在して設けられ、前記柱梁架構により支持された斜梁と、該斜梁上に設けられた観客席と、を備え、前記斜梁は鉄骨鉄筋コンクリートのプレキャスト材として製作された複数の斜梁部材を長さ方向に接合することにより製作されている。
このような構成によれば、上記の施工方法が適用可能となる。
【発明の効果】
【００１５】
本発明によれば、施工が容易な、観客席を有する建築構造物及びその施工方法を提供することが可能となる。
【図面の簡単な説明】
【００１６】
【図１】本発明の実施形態として示した観客席を有する建築構造物の側面図である。
【図２】本発明の実施形態として示した観客席を有する建築構造物において使用する、斜梁の平面図である。
【図３】本発明の実施形態として示した観客席を有する建築構造物において使用する斜梁の、製作状況を示す断面図である。
【図４】本発明の実施形態として示した観客席を有する建築構造物の施工手順を示す、施工中の建築構造物の側面図である。
【図５】本発明の実施形態として示した観客席を有する建築構造物の施工手順を示す、施工中の建築構造物の側面図である。
【図６】本発明の実施形態として示した観客席を有する建築構造物の施工方法の変形例における、施工中の建築構造物の側面図である。
【図７】従来のすり鉢状構造物の斜視図である。
【発明を実施するための形態】
【００１７】
以下、本発明の実施形態について図面を参照して詳細に説明する。
【００１８】
図１は、本発明の実施形態として示した観客席９を有する建築構造物１の側面図である。
【００１９】
本実施形態、及び後述する本実施形態の変形例においては、建築構造物１が、グラウンド２を有するスタジアム１である場合を説明するが、建築構造物１はステージを有するホールや、スクリーンを備える映画館等、他の施設であっても構わない。以下、図１等に示される側面図において、グラウンド２側の方向を「前方」、その反対側を「後方」、前方と後方を結ぶ方向に水平面内で交差する方向を「横方向」と適宜称する。
【００２０】
スタジアム１は、柱４と水平梁５を備えた柱梁架構３を備えている。柱４は、図示しない基礎上に立設されている。水平梁５は、隣接する柱４間に、水平方向Ｘに架設されている。本実施形態においては、柱４及び水平梁５は鉄骨製である。柱４の高さは、スタジアム１のグラウンド２に向かう方向、すなわち前方に進むに従い、低くなっている。
【００２１】
柱４は、当該柱４に接合される最上段の水平梁５から上方に突出する柱仕口部４ａを備えている。柱仕口部４ａは、柱４が、最上段の水平梁５を跨いで延在するように設けられている。柱仕口部４ａの長さは、柱仕口部４ａの上端４ｂが、斜梁６接合時に作業者が使用する、図示しない足場の上面から、例えば１ｍ程度の高さに位置するように決定されている。
【００２２】
水平梁５は、当該水平梁５に接合される最も端の柱４から、斜梁６の接合される水平方向Ｘに突出する梁仕口部５ａを備えている。梁仕口部５ａは、水平梁５が、最も端の柱４を跨いで延在するように設けられている。梁仕口部５ａの長さは、梁仕口部５ａの先端５ｂが斜梁６に接触しない程度に、斜梁６にできるだけ近い位置に位置するように、決定されている。
【００２３】
上記のような柱梁架構３に支持されるように、斜梁６が、水平面に対し斜め方向に延在して設けられている。図２、３を用いて、本実施形態における斜梁６を説明する。図２は、斜梁６の平面図であり、図３は、製作途中の斜梁６を示す断面図である。
【００２４】
斜梁６は、ＳＲＣのプレキャスト材として製作された複数の斜梁部材１０を長さ方向に接合して製作されている。斜梁部材１０は、図３に示されるように、鉄骨２０、主筋２１、コンクリート部２２、及び、肋筋２３を備えている。
【００２５】
本実施形態においては、斜梁部材１０の幅方向における断面は矩形形状となっており、したがって、コンクリート部２２は直方体形状をなしている。鉄骨２０は、コンクリート部２２内に埋設されており、鉄骨２０の端部２０ａが、コンクリート部２２の端部２２ａから、長さ方向に突出している。主筋２１は、コンクリート部２２の側面２２ｂと鉄骨２０の間に位置して、鉄骨２０と同様にコンクリート部２２に埋設されており、主筋２１の端部２１ａが、コンクリート部２２の端部２２ａから、長さ方向に突出している。鉄骨２０及び主筋２１を囲うように、肋筋２３が配筋されて、コンクリート部２２に埋設されている。
【００２６】
図３に示されるように、長さ方向に隣接する斜梁部材１０の、鉄骨２０の端部２０ａ同士がつき合わされている。鉄骨２０の端部２０ａを跨ぐように、つき合わされた２本の鉄骨２０の側面に鋼板２５が設けられ、鋼板２５と鉄骨２０を高力ボルト２６で固定することにより、２本の鉄骨が接合されている。
【００２７】
また、鉄骨２０と同様に、長さ方向に隣接する斜梁部材１０の、主筋２１の端部２１ａ同士がつき合わされている。つき合わされた２本の主筋２１の端部２１ａ間には、機械式継手２４が設けられており、各主筋２１の端部２１ａが機械式継手２４の互いに反対側に位置する２つの開口の各々に挿入されて、固定されている。
【００２８】
これにより、斜梁部材１０間で、斜梁部材１０のコンクリート部２２の端部２２ａから突出した鉄骨２０及び主筋２１同士が接合されている。
【００２９】
上記のように接合された、鉄骨２０及び主筋２１の接合部には、コンクリート部２２の端部２２ａからから突出した鉄骨２０及び主筋２１を囲うように、肋筋２７が配筋されている。この接合部にはコンクリートが打設されて、図２に示されるような斜梁部材接合部１１が形成されている。斜梁部材接合部１１の表面は、隣接する斜梁部材１０のコンクリート部２２の側面２２ｂと連続するように形成されている。
【００３０】
斜梁６は、柱接続部材（接続部材）１２、及び梁接続部材（接続部材）１３を備えている。柱接続部材１２は、後述するように斜梁６を柱梁架構３上に接合したときに、柱４の延在する方向に突出するように、斜梁６に設けられている。斜梁６上における柱接続部材１２の接合位置や、柱接続部材１２の長さは、斜梁６を柱梁架構３上に接合したときに、柱接続部材１２の端部１２ａが、図１に示される柱仕口部４ａの上端４ｂに突き合わされて、柱接続部材１２と柱仕口部４ａが一直線上に納まるように決定されている。
【００３１】
梁接続部材１３は、後述するように斜梁６を柱梁架構３上に接合したときに、水平梁５の延在する方向に突出するように、斜梁６に設けられている。斜梁６上における梁接続部材１３の接合位置や、梁接続部材１３の長さは、斜梁６を柱梁架構３上に接合したときに、梁接続部材１３の端部１３ａが、図１に示される梁仕口部５ａの先端５ｂに突き合わされて、梁接続部材１３と梁仕口部５ａが一直線上に納まるように決定されている。
【００３２】
柱及び梁接続部材１２、１３は、上記した端部１２ａ、１３ａとは反対側の端部が、斜梁部材１０を形成するコンクリート部２２を貫通して、図３に示される斜梁部材１０の鉄骨２０に接触するように位置せしめられており、この接触面において、鉄骨２０に溶接されている。
【００３３】
上記のように形成された斜梁６は、図１に示されるように、柱梁架構３上に接合されている。斜梁６の柱接続部材１２は、その端部１２ａが、柱梁架構３の対応する柱４の柱仕口部４ａにつき合わされて、溶接により接合されている。また、斜梁６の梁接続部材１３は、その端部１３ａが、柱梁架構３の対応する水平梁５の梁仕口部５ａにつき合わされて、溶接により接合されている。
【００３４】
斜梁６上には観客席９が設けられている。より具体的には、斜梁６の上には、斜梁上コンクリート部７を介して、床面が後方に向けて階段状にせりあがるように、段床８が設けられており、段床８の上に観客席９が設けられている。
【００３５】
次に、図１から図５を用いて、上記の観客席９を有する建築構造物１の施工方法を説明する。
【００３６】
まず、図４に示されるように、図示しない基礎上に柱４を立設し、隣接する柱４間に水平梁５を架設することにより、柱梁架構３を構築する。このとき、各柱４に関して、当該柱４に接合される最上段の水平梁５から上方に突出する柱仕口部４ａを形成するように、また、各水平梁５に関して、当該水平梁５に接合される最も端の柱４から、斜梁６の接合される水平方向Ｘに突出する梁仕口部５ａを形成するように、柱梁架構３を構築する。
【００３７】
次に、図２、図３に示されるように、ＳＲＣのプレキャスト材として製作された複数の斜梁部材１０を工場から現場に搬入し、これを基に、地組ヤードで斜梁部材１０を長さ方向に接合して、斜梁６を製作する。これにはまず、斜梁部材１０間で、斜梁部材１０のコンクリート部２２の端部２２ａから突出した鉄骨２０及び主筋２１同士を接合する。
【００３８】
具体的には、長さ方向に隣接する斜梁部材１０の、鉄骨２０の端部２０ａ同士をつき合わせ、鉄骨２０の端部２０ａを跨ぐように、つき合わされた２本の鉄骨２０の側面に鋼板２５を設け、鋼板２５と鉄骨２０を高力ボルト２６で固定することにより、２本の鉄骨２０を接合する。また、長さ方向に隣接する斜梁部材１０の、主筋２１の端部２１ａ同士をつき合わせ、つき合わされた２本の主筋２１の端部２１ａ間に機械式継手２４を設け、各主筋２１の端部２１ａを機械式継手２４の互いに反対側に位置する２つの開口の各々に挿入して、固定する。鉄骨２０及び主筋２１を囲うように肋筋２７を配筋する。
【００３９】
鉄骨２０及び主筋２１の接合部に、地組ヤードでコンクリートを打設して、図２に示されるように斜梁部材接合部１１を形成する。このコンクリートの打設においては、完成した斜梁６が揚重クレーンの揚重容量を超えないように注意する必要がある。
【００４０】
斜梁部材１０には、斜梁６の柱梁架構３上への接合時に柱４及び水平梁５の延在する方向に突出するように、柱及び梁接続部材１２、１３が設けられている。柱及び梁接続部材１２、１３は、工場での斜梁部材１０の製作時において、コンクリート部２２を形成するコンクリートの打設前に、端部を鉄骨２０に溶接されることにより、接合されている。
【００４１】
柱接続部材１２は、斜梁６を柱梁架構３上に接合したときに、柱４の延在する方向に突出するように、鉄骨２０に接合されている。斜梁６上における柱接続部材１２の斜梁６の接合位置や、柱接続部材１２の長さは、斜梁６を柱梁架構３上に接合したときに、柱接続部材１２の端部１２ａが、図１に示される柱仕口部４ａの上端４ｂに突き合わされて、柱接続部材１２と柱仕口部４ａが一直線上に納まるように決定されている。
【００４２】
梁接続部材１３は、斜梁６を柱梁架構３上に接合したときに、水平梁５の延在する方向に突出するように、鉄骨２０に接合されている。斜梁６上における梁接続部材１３の接合位置や、梁接続部材１３の長さは、斜梁６を柱梁架構３上に接合したときに、梁接続部材１３の端部１３ａが、図１に示される梁仕口部５ａの先端５ｂに突き合わされて、梁接続部材１３と梁仕口部５ａが一直線上に納まるように決定されている。
【００４３】
上記のように製作した斜梁６を揚重クレーンで揚重して、図５に示されるように、柱梁架構３上に位置せしめたうえで、柱梁架構３に接合する。このとき、柱及び梁接続部材１２、１３の各々を、柱仕口部４ａ及び梁仕口部５ａに接合する。すなわち、斜梁６の柱接続部材１２に関しては、その端部１２ａを、柱梁架構３の対応する柱４の柱仕口部４ａにつき合わせて、溶接により接合する。また、斜梁６の梁接続部材１３に関しては、その端部１３ａを、柱梁架構３の対応する水平梁５の梁仕口部５ａにつき合わせて、溶接により接合する。
【００４４】
最後に、図１に示されるように、斜梁６上に斜梁上コンクリート部７を介して段床８を設け、更に段床８の上に観客席を設ける。
【００４５】
次に、上記の実施形態として示した、観客席９を有する建築構造物１及びその施工方法の作用、効果について説明する。
【００４６】
上記したような観客席９を有する建築構造物１の施工方法においては、斜梁６を、ＳＲＣのプレキャスト材として製作された複数の斜梁部材１０を長さ方向に接合して製作した後に、柱梁架構３上に接合するため、従来においては斜梁の製作において必要であった高所における型枠の設置作業を低減することが可能となり、これに伴い、型枠を支持する支保工の設置個所も低減することが可能となる。
【００４７】
また、上記のような構成によれば、斜梁６は柱及び梁接続部材１２、１３を備えており、柱及び梁接続部材１２、１３を柱４及び水平梁５の柱仕口部４ａ及び梁仕口部５ａに接合することで、斜梁６が柱梁架構３に接合されている。柱及び梁接続部材１２、１３は、斜梁６の接合時に柱４及び水平梁５の延在する方向に突出しており、柱仕口部４ａは上方に、梁仕口部５ａは水平方向に、それぞれ突出しているため、柱及び梁接続部材１２、１３の柱仕口部４ａ及び梁仕口部５ａへの接合は、互いに向かい合うように位置する端面同士を接合することで行われる。
【００４８】
また、斜梁６の製作は、斜梁部材１０間で、斜梁部材１０のコンクリート部２２の端部２２ａから突出した鉄骨２０及び主筋２１同士を接合し、鉄骨２０及び主筋２１の接合部にコンクリートを打設することを含み、これらの斜梁６の製作作業は斜梁６を柱梁架構３上へ設置する前に地組ヤードで行われるため、柱梁架構３上への斜梁６の接合後に、斜梁６に対してコンクリートの打設を行うことが不要である。
【００４９】
更に、柱仕口部４ａと斜梁６の柱接続部材１２の接合位置が、足場から例えば１ｍ程度の、作業が容易となるような高さに位置するように、任意に決定することが可能である。
【００５０】
以上の理由により、施工を容易に行うことが可能となる。
【００５１】
上記のように、高所における施工が容易となり、また作業量が低減することで、作業員の安全性が高まる。
【００５２】
また、斜梁６は、ＳＲＣのプレキャスト材として製作された複数の斜梁部材１０を長さ方向に接合して製作されているため、現場での複雑な配筋作業を低減することができる。したがって、施工が容易となるとともに、配筋精度を向上させることができる。
【００５３】
また、斜梁６は、ＳＲＣのプレキャスト材として製作された複数の斜梁部材１０を長さ方向に接合して製作されているため、斜めに設置された鉄骨・鉄筋の周囲へのコンクリートの打設作業を少なくすることが可能であり、これによりコンクリートの品質を向上させることができる。
【００５４】
また、一本の斜梁６を柱梁架構３上に接合するに当たり、複数の部材を各々揚重して柱梁架構３上で接合して斜梁６を形成するのではなく、製作済みの斜梁６を揚重して柱梁架構３上に接合するため、部材の揚重回数が一回で済み、これにより工期を短縮することが可能となる。
【００５５】
また、斜梁６はＳＲＣのプレキャスト材として製作された複数の斜梁部材１０を長さ方向に接合して製作されているため、斜梁部材１０同士の接合を現場で行う場合においては、プレキャスト材の工場から現場までの運搬が容易となる。
【００５６】
（実施形態の変形例）
次に、図６を用いて、本発明の実施形態として示した観客席を有する建築構造物及びその施工方法の変形例を説明する。本変形例における観客席を有する建築構造物の施工方法は、上記実施形態における建築構造物の施工方法とは、斜柱６の鉄骨２０及び主筋２１の接合部へのコンクリートの打設は、斜柱６の柱梁架構３への接合前に地組ヤードで行うのではなく、斜柱６の柱梁架構３への接合後に行われる点が異なっている。
【００５７】
本変形例において施工される建築構造物３０は、上記実施形態において説明した建築構造物１と同じであるが、以下に記載するように、施工方法が異なっている。
【００５８】
まず、上記実施形態と同様に、図４に示されるように、図示しない基礎上に柱４を立設し、隣接する柱４間に水平梁５を架設することにより、柱梁架構３を構築する。柱仕口部４ａ及び梁仕口部５ａも、上記実施形態と同様に形成する。
【００５９】
次に、上記実施形態と同様に、図３に示されるように、ＳＲＣのプレキャスト材として製作された複数の斜梁部材１０を工場から現場に搬入し、これを基に、地組ヤードで斜梁部材１０を長さ方向に接合する。この接合においても、上記実施形態と同様に、鉄骨２０、主筋２１同士を接合し、肋筋２７を配筋する。柱及び梁接続部材１２、１３は、工場での斜梁部材１０の製作時に、鉄骨２０に予め溶接されている。
【００６０】
その後、上記実施形態においては、鉄骨２０及び主筋２１の接合部に、地組ヤードでコンクリートを打設して、図２に示されるように斜梁部材接合部１１を形成したが、本変形例においてはこれに代えて、鉄骨２０、主筋２１同士が接合され、肋筋２７が配筋された状態の斜梁６を、揚重クレーンで揚重して、図６に示されるように、柱梁架構３上に接合する。このとき、柱及び梁接続部材１２、１３を、柱仕口部４ａ及び梁仕口部５ａの各々に接合する。すなわち、斜梁６の柱接続部材１２に関しては、その端部１２ａを、柱梁架構３の対応する柱４の柱仕口部４ａにつき合わせて、溶接により接合する。また、斜梁６の梁接続部材１３に関しては、その端部１３ａを、柱梁架構３の対応する水平梁５の梁仕口部５ａにつき合わせて、溶接により接合する。
【００６１】
そして、鉄骨２０及び主筋２１の接合部を型枠で囲い、コンクリートを打設して、図５に示されるように斜梁部材接合部１１を形成する。
【００６２】
最後に、上記実施形態と同様に、図１に示されるように、斜梁６上に斜梁上コンクリート部７を介して段床８を設け、更に段床８の上に観客席を設ける。
【００６３】
上記のような施工方法によれば、斜梁部材１０間の、鉄骨２０及び主筋２１の接合部へのコンクリートの打設は、斜梁６の柱梁架構３上への接合後であるため、斜梁６の柱梁架構３上への揚重時においては、斜梁６の重量を低減することが可能となる。したがって、揚重性能の高くない揚重機を使用できる可能性が高まり、これにより施工費を低減することが可能となる。
【００６４】
本変形例が、上記実施形態と同様の効果を奏することはいうまでもない。
なお、斜梁部材１０間の、鉄骨２０及び主筋２１の接合部へのコンクリートの打設は、斜梁６の柱梁架構３上への接合後であるが、斜柱６の大部分はプレキャスト材として形成されており、柱梁架構３への接合時にはコンクリートが打設されているため、柱梁架構３への接合後にコンクリートを打設すべき鉄骨２０及び主筋２１の接合部は、斜柱６全体の内、非常に限定的な部分となっている。したがって、施工が容易であるという、上記実施形態が奏する効果は大きく損なわれない。
【００６５】
なお、本発明の観客席を有する建築構造物及びその施工方法は、図面を参照して説明した上述の実施形態及び変形例に限定されるものではなく、その技術的範囲において他の様々な変形例が考えられる。
【００６６】
例えば、上記実施形態においては、斜梁６を柱梁架構３上に接合する前に、地組ヤードで鉄骨２０及び主筋２１の接合部にコンクリートを打設して斜梁部材接合部１１を形成した。また、上記変形例においては、斜梁６を柱梁架構３上に接合した後に、鉄骨２０及び主筋２１の接合部を型枠で囲い、コンクリートを打設して、斜梁部材接合部１１を形成した。
しかし、これらに限られず、例えば、斜梁６を柱梁架構３上に接合する前に、地組ヤードで一部の接合部にコンクリートを打設して斜梁部材接合部１１を形成し、一部の斜梁部材接合部１１が形成された斜梁６を柱梁架構３上に接合した後に、残りの接合部を型枠で囲い、コンクリートを打設して、残りの斜梁部材接合部１１を形成してもよい。これにより、例えば柱梁架構３上に接合した後のコンクリート打設作業が困難な接合部のみに対して、地組ヤードでコンクリートを打設して斜梁部材接合部１１を形成することが可能となり、施工の容易性と、使用する揚重機の性能を落とすことによる施工費の低減の良好なバランスを得ることが可能となる。
【００６７】
これ以外にも、本発明の主旨を逸脱しない限り、上記実施の形態及び変形例で挙げた構成を取捨選択したり、他の構成に適宜変更したりすることが可能である。
【符号の説明】
【００６８】
１、３０        建築構造物（スタジアム）
２              グラウンド
３              柱梁架構
４              柱
４ａ            柱仕口部
５              水平梁
５ａ            梁仕口部
６              斜梁
７              斜梁上コンクリート部
８              段床
９              観客席
１０            斜梁部材
１１            斜梁部材接合部
１２            柱接続部材（接続部材）
１３            梁接続部材（接続部材）
２０            鉄骨
２１            主筋
２２            コンクリート部
２２ａ          端部
【図１】
0006710563.tif 000002
【図２】
0006710563.tif 000003
【図３】
0006710563.tif 000004
【図４】
0006710563.tif 000005
【図５】
0006710563.tif 000006
【図６】
0006710563.tif 000007
【図７】
0006710563.tif 000008